(57)【特許請求の範囲】
【請求項１】
第１波長の光束を発する第１光源と、
上記第１光源からの第１照明光束で被検眼眼底中心付近に集光する様に照明するための第１照明光学系と、
第２波長の光束を発する第２光源と、
上記第２光源からの第２照明光束で被検眼眼底の観察領域を照明するための第２照明光学系と、
被検眼眼底から反射してきた反射光束を第１波長の反射光束の大部分を含む第１分岐光束と、第１波長の反射光束の残りの部分及び第２波長の反射光束を含む第２分岐光束と、に分岐するビームスプリッターと、
上記ビームスプリッターで分岐された第１分岐光束を受け取り、この第１分岐光束を少なくとも１７本のビームに変換する第１変換部材を介して受光するように導くための第１受光光学系と、
上記第１受光光学系からの第１分岐光束を受光する第１受光部と、
上記ビームスプリッターで分岐された第２分岐光束を受光するように導くための第２受光光学系と、
上記第２受光光学系からの第２分岐光束を受光する第２受光部と、
上記第１受光部で得られた光束の傾き角に基づいて被検眼の光学特性を求める演算部と、
上記第２受光部からの信号により眼底上での第１照明光束の照射位置を確認可能とする表示部と
を備えた眼の光学特性測定装置。
【請求項２】
第１波長の光束を発する第１光源と、
上記第１光源からの第１照明光束で被検眼眼底中心付近に集光する様に照明するための第１照明光学系と、
第２波長の光束を発する第２光源と、
上記第２光源からの第２照明光束で被検眼眼底の観察領域を照明するための第２照明光学系と、
被検眼眼底から反射してきた反射光束を第１波長の反射光束の大部分を含む第１分岐光束と、第１波長の反射光束の残りの部分及び第２波長の反射光束を含む第２分岐光束と、に分岐するビームスプリッターと、
上記ビームスプリッターで分岐された第１分岐光束を受け取り、この第１分岐光束を複数のビームに変換する第１変換部材を介して受光するように導くための第１受光光学系と、
上記第１受光光学系からの第１分岐光束を受光する第１受光部と、
上記ビームスプリッターで分岐された第２分岐光束を受光するように導くための第２受光光学系と、
上記第２受光光学系からの第２分岐光束を受光する第２受光部と、
上記第１受光部で得られた光束の傾き角に基づいて被検眼の光学特性を求める演算部と、
上記第２受光部からの信号により眼底上での第１照明光束の照射位置を確認可能とする表示部と
を備えた眼の光学特性測定装置。
【請求項３】
さらに、被検眼眼底上に固視標像を形成するための固視標を有し、かつ固視標位置を光軸に対して直交方向に移動可能に構成して、この固視標の移動により、被検眼眼底上の第１照明光束の集束位置を変更するように指示するための固視標投影光学系を備えたことを特徴とする請求項１又は２に記載の眼の光学特性測定装置。
【請求項４】
被検眼眼底上に固視標像を形成するための固視標と、固視標の結像位置近傍に互いに略直交方向に回動軸を有する反射ミラーを含み、このミラーの移動により、被検眼眼底上の第１光束の集束位置を変更するように構成された固視標投影光学系を含むことを特徴とする請求項１又は２記載の眼の光学特性測定装置。
【請求項５】
上記第１照明光学系において、
光束方向変換部材を含み、この光束方向の変化により、被検眼眼底上の第１光束の集束位置を変更するようにした請求項１又は２に記載の眼の光学特性測定装置。
【請求項６】
上記第２光源部は、波長８６０〜８８０ｎｍの面光源又は点光源であることを特徴とする請求項１乃至５のいずれかに記載の眼の光学特性測定装置。
【請求項７】
上記演算部は、さらに、固視標像の位置が黄斑部の位置付近にあるか否かを判定することを特徴とする請求項１乃至６のいずれかに記載の眼の光学特性測定装置。
【発明の詳細な説明】
【０００１】
【発明の属する技術分野】
本発明は、眼の光学特性測定装置に係り、特に、被検眼の眼底上に光束を照射し、ここからの反射光で眼の光学特性を測定する眼の光学特性測定装置に関する。
【０００２】
【従来の技術】
従来の角膜形状測定装置は、指標を投影し、その指標の結像位置を求め角膜形状を測定する装置が知られている。また、眼の光学特性を測定する装置には、本出願人が特許出願を行ったものとして、第１受光部の受光レベルで照明光学系のピント調整を行い、第１受光部の出力から求めた光学特性（Ｓ）に基づき受光光学系のピント調整を行う装置が存在している（特願平９−１３７６３０号）。
【０００３】
【発明が解決しようとする課題】
従来の被検眼の光学特性を測定する装置では、測定光束が眼底上でどの位置に照射されているかを確認することができなかった。そのため、固視が不充分なまま測定が行われる場合も生じており、眼底上でのどの位置に測定光束が照射されているかを確認する要求が生じてきた。
【０００４】
本発明は、以上の点に鑑み、被検眼の眼底上のどの位置に測定のための光束が集光しているか又は固視しているかを確認できるようにし、さらに、固視標又はハルトマン測定用照射光の照射位置を動かすことで、その集光位置・測定位置を変更することができるようにして、データの信頼性を一層高くする眼の光学特性測定装置を提供することを目的とする。
【０００５】
【課題を解決するための手段】
本発明の解決手段によると、
第１波長の光束を発する第１光源と、
上記第１光源からの第１照明光束で被検眼眼底中心付近に集光する様に照明するための第１照明光学系と、
第２波長の光束を発する第２光源と、
上記第２光源からの第２照明光束で被検眼眼底の観察領域を照明するための第２照明光学系と、
被検眼眼底から反射してきた反射光束を第１波長の反射光束の大部分を含む第１分岐光束と、第１波長の反射光束の残りの部分及び第２波長の反射光束を含む第２分岐光束と、に分岐するビームスプリッターと、
上記ビームスプリッターで分岐された第1分岐光束を受け取り、この第1分岐光束を少なくとも１７本のビームに変換する第１変換部材を介して受光するように導くための第１受光光学系と、
上記第１受光光学系からの第１分岐光束を受光する第１受光部と、
上記ビームスプリッターで分岐された第２分岐光束を受光するように導くための第２受光光学系と、
上記第２受光光学系からの第２分岐光束を受光する第２受光部と、
上記第１受光部で得られた光束の傾き角に基づいて被検眼の光学特性を求める演算部と、
上記第２受光部からの信号により眼底上での第1照明光束の照射位置を確認可能とする表示部と
を備えた眼の光学特性測定装置を提供する。
【０００６】
以下に、本実施の形態の特徴のいくつかを例示する。
・測定光による眼底上の集光点を知るために眼底観察ができる光学系を設ける。また、眼底上の所定の位置に測定光が集光するように固視、もしくは測定光を移動して入射位置を変える。
本実施の形態では、眼底観察系の波長と測定波長を若干変える。例えば、眼底照明を８６０ｎｍ、ハルトマン板の測定波長を８４０ｎｍとする。そして、測定系の光路分割のところに例えば８６０ｎｍを透過、８４０ｎｍを５％透過・９５％反射のビームスプリッターを置く。これらの値は、一例であり、適宜変更し得る。
・眼底観察系の投影は、例えば、リング状又は円状の投影とし、角膜や途中の角膜頂点反射と光学レンズの頂点反射を防ぐ。また、光源は瞳位置と共役とする。・眼底上の投影光移動方法は、固視を動かす方法と、ハルトマン板の投影光を移動する方法の２通りある。
・ハルトマン板の投影光を移動する場合は、２箇所にガルバノミラーを入れ、ｘ方向とｙ方向にミラーをそれぞれ傾けて入射位置を変える。希望の入射位置にきたら、そこで微小角度で振り、網膜上の乱れによる反射むらを除去する。
【０００７】
【発明の実施の形態】
１．光学系
（第１の実施の形態）
以下、図面を用いて本発明の実施の形態を詳細に説明する。
図１は、本発明に関する第１の実施の形態の眼特性測定装置１０００の概略光学系を示す図である。
眼特性測定装置１０００は、例えば、第１の光源部１００と、第１照明光学系２００Ａと、第１受光光学系３００Ａと、第１受光部５１０と、第２の光源部１１０と、第２照明光学系２００Ｂと、第２受光光学系３００Ｂと、第２受光部５２０と、第３光源部９１と、第３受光光学系３０と、第１調整用光学系５０と、第３照明用光学系９０を備える。なお、被測定眼６０については、図中、網膜（眼底）６１、角膜（前眼部）６２が示されている。
【０００８】
第１の光源部１００は、第１波長の光束を発する。第１照明光学系２００Ａは、第１の光源部１００からの第１光束で被検眼網膜６１上で微小な領域を照明する。第１受光光学系３００Ａは、例えば、被検眼網膜６１から反射して戻ってくる光束の一部を、反射光束を少なくとも１７本のビームに変換するための第１変換部材４００を介して第１受光部５１０に導く。第２の光源部１１０は、第２波長の光束を発する。第２照明光学系２００Ｂは、第２の光源部１１０からの第２光束で被検眼網膜６１上に所定の領域を照明する。第２受光光学系３００Ｂは、被検眼網膜６１から反射して戻ってくる第２光束を第２受光部５２０に導く。
【０００９】
以下、各部について詳細に説明する。
第１照明光学系２００Ａは、例えば、第１の光源部１００からの光束で被検眼眼底６１上で微小な領域を照明するためのものである。第１照明光学系２００Ａは、第１の集光レンズ２１０と、第１リレーレンズ２２０とを備える。
第１の光源部１００は、空間コヒーレンスが高く、時間コヒーレンスは高くないものが望ましい。ここでは、一例として、第１の光源部１００には、ＳＬＤが採用されており、輝度が高い点光源を得ることができる。なお、第１の光源部１００は、ＳＬＤに限られるものではなく、レーザーの様に空間、時間ともコヒーレンスが高いものでも、回転拡散板などを挿入することにより、適度に時間コヒーレンスを下げることで利用できる。そして、ＬＥＤの様に、空間、時間ともコヒーレンスが高くないものでも、光量さえ充分であれば、ピンホール等を光路の光源の位置に挿入することで、使用可能になる。また、照明用の第１の光源部１００の波長は、例えば、赤外域の波長、例えば７８０ｎｍを使用することができる。第１の光源部１００は、連続点灯させている場合には、第１受光部５１０において、光学特性測定用の光束と、被検査対象物である被検眼前眼部６２の光束とが同時に受光される。
【００１０】
第１受光光学系３００Ａは、例えば、被検眼網膜６２から反射して戻ってきて第２のビームスプリッタ３４０を通過した光束を受光し第１受光部５１０に導くためのものである。第１受光光学系３００Ａは、第１のアフォーカルレンズ３１０と、第２リレーレンズ３２０と、第２のビームスプリッタ３４０と、反射光束を少なくとも１７本のビームに変換するための変換部材４００とを備える。
第１受光光学系３００Ａに配置された変換部材４００は、反射光束を複数のビームに変換する波面変換部材である。なお、ここでは、変換部材４００には、光軸と直交する面内に配置された複数のマイクロフレネルレンズが採用されている。
【００１１】
第１受光部５１０は、変換部材４００を通過した第１の受光光学系３００Ａからの光を受光し、第１信号を生成するためのものである。第１の光源部１００と眼底６１が共役となっており、眼底６１と第１受光部５１０とが共役となっている。更に、変換部材４００と瞳孔も共役となっている。即ち、第１のアフォーカルレンズ３１０の前側焦点は、被検査対象物である被検眼６０の前眼部６２と略一致している。眼底６２からの反射光は、第１のアフォーカルレンズ３１０及び第２のシリンダーレンズ３２０を通過し、変換部材４００を介して、その１次光として第１受光部５１０上に集光する。ここで０次光は透過光束に相当し、１次光は収束光束に相当する。
【００１２】
そして、第１照明光学系２００Ａと第１受光光学系３００Ａとは、第１の光源部１００からの光束が集光する点で反射されたとして、その反射光による第１受光部５１０での信号ピークが最大となる関係を維持して、連動して移動し、第１受光部５１０での信号ピークが強くなる方向に移動し、強度が最大となる位置で停止する様に構成されている。この結果、第１の光源部１００からの光束が、被検眼６０上で集光することとなる。
【００１３】
第２照明光学系２００Ｂは、第２の光源部１１０からの第２光束で被検眼網膜上に所定の領域を照明するためのものである。第２の光源部１１０は、例えば波長８６０ｎｍの第２波長の光束を発するためのものである。第２光源部１１０は、眼底６１への点光源又は面光源で、近赤外線領域とすることができる。ハルトマン測定用の第１光源部１００の波長が８４０ｎｍ、前眼部照射用の光源部の波長が９４０ｎｍとすると、それ以外の赤外又は近赤外光である、例えば、その間の８５０〜９３０ｎｍ（現状では、例えば、８６０〜８８０ｎｍ）等の適宜の波長を選択することができる。第２照明光学系２００Ｂは、例えば、第２の光源部１１０と、第４の集光レンズ２５０と、穴あきミラー２９０とを備える。眼底６１の照明については、この例では、穴あきミラー２９０を用いて眼底６１の観察領域の照明光を形成している。その他にも、リング状絞りの中心を１００％透過とし、その周辺の透過率を例えば１０％程度とし、周辺が眼底の全体を照明する。第２の光源１１０は、瞳と共役であり（瞳で結像）、これにより、眼底の大部分を全体的に一様に照明する。また、穴あきミラー２９０は、角膜頂点での反射を防ぐため、瞳と共役関係にある。第２受光光学系３００Ｂ、第２受光部５２０では、第２光源部１１０による観察系と、第３光源部９１による固視標の両方を観察できる。
【００１４】
第２の受光光学系３００Ｂは、例えば、第１のアフォーカルレンズ３１０と、第１のビームスプリッタ３３０と、穴あきミラー２９０と、第２の集光レンズ３５０とを備える。第１のビームスプリッタ３３０とビームスプリッタ２８５との間に形成されたビームスプリッタ２８０で反射された第２波長の光は、第１のビームスプリッタ３３０、第２の集光レンズ３５０を介して第２受光部５２０に導く様に構成されている。第２受光部５２０は、第２信号を生成する。ビームスプリッタ２８５は、例えば、第１波長の光束を反射し、第２波長の光束を通過するダイクロイックミラーで構成されている。形成された眼底像を受光する第２受光部５２０は、赤外光に感度を有する受光素子で形成されている。また、第２のビームスプリッタ３４０とビームスプリッタ２８５との間には、光を均一化するためのロータリープリズム３３２が配置されている。
【００１５】
第３受光光学系３０は、リレーレンズ３１、３２、３３、第３受光部（ここでは、例えば、前眼部観察ＣＣＤ）３５を備える。第３受光光学系３０は、第１調整用光学系５０に含まれる光源部から照明されたプラチドリング４１のパターンが、被測定眼６０の前眼部６２から反射して戻ってくる光束を、第３受光部３５に導く。
【００１６】
第１調整用光学系５０は、例えば、作動距離調整を主に行うものであって、光源部５１、５５と、集光レンズ５２、５３と、受光部５４とを備える。ここで、作動距離調整は、例えば、光源部５５から射出された光軸付近の平行な光束を、被測定眼６０に向けて照射すると共に、この被測定眼６０から反射された光を、集光レンズ５２、５３を介して受光部５４で受光することにより行われる。また、被測定眼６０が適正な作動距離にある場合、受光部５４の光軸上に、光源部５５からのスポット像が形成される。一方、被測定眼６０が適正な作動距離から前後に外れた場合、光源部５５からのスポット像は、受光部５４の光軸より上又は下に形成される。なお、受光部５４は、光源部５５、光軸、受光部５４を含む面内での光束位置の変化を検出できればいいので、例えば、この面内に配された１次元ＣＣＤ、ポジションセンシングデバイス（ＰＳＤ）等を適用できる。
【００１７】
第３照明用光学系９０は、例えば、被検眼の固視や雲霧をさせる為の視標を投影する光路を含むものであって、第３光源部（例えば、ランプ）９１、固視標９２、リレーレンズ９３を備える。第３光源部９１からの光束で固視標９２を眼底６１に照射することができ、その像を第２受光光学系３００Ｂの第２受光部５２０により測定することができる。
【００１８】
（第２の実施の形態）
図２は、本発明に関する第２の実施の形態の眼特性測定装置２０００の概略光学系を示す図である。なお、眼特性測定装置１０００と重複するブロック、構成等については、同一符号を付し、機能、構成は同様である。
眼特性測定装置２０００では、所定位置への被検眼６０の誘導を固視光源の移動又はプリズムの利用により行うことができる。具体的には、固視光源移動では、第３照明用光学系９０の第３光源部（固視用光源）９１は、光軸と直交方向に移動可能で、固視が移動すると、画面での背景が移動することになる。また、プリズムの利用では、第３光源部（固視用光源）９１を含む第３照明用光学系９０は、光軸と直交方向に移動可能で、プリズムが挿入され固視が移動すると、画面での背景が移動することになる。
【００１９】
（第３の実施の形態）
図３は、本発明に関する第３の実施の形態の眼特性測定装置３０００の概略光学系を示す図である。なお、眼特性測定装置１０００と重複するブロック、構成等については、同一符号を付し、機能、構成は同様である。
眼特性測定装置３０００では、第２のビームスプリッター３４０とビームスプリッター２８５との間に、２つのガルバノミラー２８６、２８７を挿入する。ここで、眼特性測定装置３０００では、変換部材４００の投影光を移動する場合は、ｘ方向とｙ方向にガルバノミラー２８６、２８７をそれぞれ傾けて入射位置を変える。希望の入射位置にきたら、そこで微小角度で振り、網膜上の乱れによる反射むらを除去することができる。
【００２０】
２．電気系
（第１の実施の形態）
図４は、本発明に関する第１の実施の形態の眼特性測定装置１０００の電気的構成を示す電気系ブロック図である。
眼特性測定装置１０００に関する電気駆動系は、演算部６００と、制御部６１０と、表示部７００と、メモリ８００と、第１の駆動部９１０と、第２の駆動部９１１と、第３の駆動部９１２と、第４の駆動部９１３とを備える。演算部６００は、波面測定を行う際に状態を変化させるための結像状態変化部と、各種眼特性測定を行う測定部とを備える。
【００２１】
また、演算部６００には、第１受光部５１０からの第１信号▲４▼と、第２受光部５２０からの第２信号▲５▼と、第３受光部３５からの信号▲７▼と、受光部５４からの信号(14)が入力される様に構成されており、演算部６００は、第１受光部５１０からの第１信号▲４▼に基づき、被検眼６０の光学特性を求め、第２受光部５２０からの第２信号▲５▼に基づき、第１照明光学系２００Ａの照明状態を検出する様になっている。また、演算部６００は、この演算結果に応じた信号を、電気駆動系の全体の制御を行う制御部６１０と、表示部７００（各種の表示例については、後述する。）と、メモリ８００とにそれぞれ出力する。
演算部６００は、例えば、光束の傾き角に対応する第１受光部５１０からの第１信号に基づき、被検眼６０の光学特性を求めると共に、第２受光部５２０からの第２信号に基づき、第１照明光学系２００Ａの照明状態を検出する。
【００２２】
結像状態変化部は、第２受光部５２０からの第２信号▲５▼のレベルに応じて、第１照明光学系２００Ａ及び第１受光光学系３００Ａの結像状態を変化させて第１変化状態とし、その後に、演算部６００により求められた光学特性に応じて、第１照明光学系２００Ａ及び第１受光光学系３００Ａの結像状態を変化させて第２変化状態とするものである。なお、ここでは、第１波長は、第２波長よりも短く設定したが、逆の関係としてもよい。
制御部６１０は、演算部６００からの制御信号に基づいて、第１の光源部１００の点灯、消灯を制御したり、第１の駆動部９１０〜第４の駆動部９１３を制御するためのものである。制御部６１０は、例えば、演算部６００での演算結果に応じた信号に基づいて、第１光源部１００に対して信号▲１▼を出力し、第２光源部１１０に対して信号(12)を出力し、第３光源部９１に対して信号(11)を出力し、光源部５５に対して信号(13)を出力し、光源部５１に対して信号▲８▼を出力し、さらに、第1駆動部９１０〜第４駆動部９１３に対して信号を出力する。
【００２３】
第1駆動部９１０は、例えば、演算部６００に入力された第1受光部５１０からの受光信号▲４▼に基づいて、第１照明光学系２００Ａ及び第１受光光学系３００Ａを光軸方向に移動させるものであり、図示しない適宜のレンズ移動手段に対して信号▲３▼を出力すると共に、このレンズ移動手段を駆動する。
第２駆動部９１１は、例えば、演算部６００に入力された第２受光部５２０からの受光信号▲５▼に基づいて、第２受光光学系３００Ｂを光軸方向に移動させるものであり、図示しない適宜のレンズ移動手段に対して信号▲６▼を出力すると共に、このレンズ移動手段を駆動する。
【００２４】
第３駆動部９１２は、例えば、シリンダーレンズ３３２を回動させるものであり、図示しない適宜のレンズ移動手段に対して信号(10)を出力すると共に、このレンズ移動手段を駆動する。
第４駆動部９１３は、例えば、第３照明光学系９０の固視標９２を移動させるものであり、図示しない適宜の移動手段に対して信号(15)を出力すると共に、この移動手段を駆動する。これにより、第４駆動部９１３は、第３照明光学系９０の固視標９２の移動、調節を行うことができる。
【００２５】
（第２、第３の実施の形態）
なお、眼特性測定装置２０００では、さらに、図示しない適宜の移動手段に対して信号▲９▼を出力すると共に、この移動手段を駆動することにより、第３照明光学系９０をｘ方向、ｙ方向に適宜移動することができる他の駆動部を備える。また、眼特性測定装置３０００では、さらに、図示しない適宜の移動手段に対して信号(16)を出力すると共に、この移動手段を駆動することにより、ガルバノミラー２８６、２８７をｘ方向、ｙ方向に適宜移動することができる他の駆動部を備える。
【００２６】
３．フローチャート
（第１の実施の形態）
図５は、本発明に関する第１の実施の形態の眼特性測定装置１０００のフローチャートである。なお、ここでのフローチャートは、被検眼６０の眼底６１の固視標及びハルトマン測定光の照射位置を観察するためのものである。
測定が開始されると（Ｓ１０１）、被検眼６０の位置のアライメント調整を行う（Ｓ１０３）。ここでは、例えば、制御部６１０が、演算部６００からの制御信号に基づいて、所定の駆動部を制御して、各光学系の光軸を原点位置に移動させる（Ｓ１０３）。なお、眼特性測定装置の角膜でのアライメントは、平行で光束で照明して、角膜半径の１／２の位置に輝点が生じ、これでアライメントすることがよい。第３光源部９１及び第３照明用光学系９０により、固視標の呈示を行う（Ｓ１０５）。第２受光光学系３００Ｂの第２受光部５２０による信号により、演算部６００は、表示部７００に眼底像の表示を行う（Ｓ１０７）。
【００２７】
ここで、眼底像について説明する。
図７は、眼底像の表示例を示す図（１）である。眼底６１を照明するための照明光源（ここでは、第２光源部１１０）からの光束で眼底６１が全体的に一様に表示される。眼底像は、例えば、被検眼６０の眼底６１、黄斑部６３、視神経乳頭６４の他に、第３光源部９１及び固視標９２を含む第３照明用光学系９０からの固視標光束９２１（図中、○）、第１光源部１００の入射光中心を示すハルトマン測定中心光束１００１（図中、■）、眼底観察ＣＣＤである第２受光部５２０の中心線６５を含む。また、固視標光束９２１、ハルトマン測定中心光束１００１は、ステップＳ１０３においてアライメント調整されている場合、中心線６５の中心にあり、互いに一致していることになる。
【００２８】
つぎに、ステップＳ１０７で表示された眼底像の中心線６５の中心（固視標光束９２１、ハルトマン測定中心光束１００１の位置）に、黄斑部６３が表示されているか否かを判定する（Ｓ１０９）。黄斑部６３が中心線６５から外れている場合、再び、ステップＳ１０３へ戻り、アライメント調整を行う。黄斑部６３での測定を行う場合、例えば、適宜の被検者に対して固視標光束９２１を凝視するように指示すると、通常は黄斑部６３が移動して、固視標光束９２１を含む状態になる（図中（ｂ））。なお、この判定は、表示部に７００により検者が判定してもよいし、演算部６００が画像処理技術、パターン認識技術により判定処理を実行してもよい。また、ステップＳ１０７において眼底像を表示している画像、特に測定された際の眼底像の画像を記憶しておき後日測定結果と共に表示するように構成することもできる。このようにすれば、測定光束が眼底上のどの位置に照射された状態で測定がされたかを確認することが可能となる。
【００２９】
ステップＳ１０９の後、被検眼６０の第１受光光学系３００Ａ、第１受光部５２０により光学特性の測定を行い（Ｓ１１７）、演算部６００で演算を行う（Ｓ１１９）（詳細は後述）。つぎに、演算部６００は、ステップＳ１１９の演算結果を、表示部７００に表示する（Ｓ１２１：後述）。つぎに、測定を終了するか否かを判定し（Ｓ１２３）、終了する場合は測定を終了する（Ｓ１２５）。一方、測定を終了しない場合は、再び、ステップＳ１０３に戻り、アライメント調整を行う。
以上の例では、被検眼を固視標に注視させ、測定光束が黄斑部に一致させた状態で測定を行うように説明したが、場合によっては、固視を促しても黄斑部と測定光束とが重ならないこともあるが、そのときにはその状態のまま測定を行い、測定の際の画像によりこれを確認することができる。また、必要に応じて、固視を促さず自然視の状態で測定、すなわちステップＳ１０９の判断を省略することもできる。なお、上述では、固視標の光束と測定光束の両方が観察可能として説明を行ったが、第１の実施の形態では、固視標の光束と測定光束とは同軸となっており、固視標の光束又は測定光束のいずれかが観察できるように構成されていれば確認の目的には十分である。
【００３０】
（第２の実施の形態）
図６は、本発明に関する第２の実施の形態の眼特性測定装置２０００の具体的な測定方法を示すフローチャートである。なお、上述の眼特性測定装置１０００のフローチャートと重複する処理等については、同一符号を付し、機能は同様である。
ここでは、上述のように、ステップＳ１０１〜１０７の処理を行った後、ステップＳ１０９で黄斑部６３が中心線６５の中心と略一致している場合（図７（ａ））、演算部６００は、メモリ８００又は入力された指示により、黄斑部６３での測定か否かを判定する（Ｓ１１１）。なお、検者は、メモリ８００に予めその指示を入力しておいてもよいし、このとき入力してもよい。
【００３１】
ここで、ステップＳ１１１で黄斑部６３での測定ではない場合（例えば、眼底像の所望の位置で測定したい場合）、例えば、固視標光束９２１を移動する（ステップＳ１１３）。ステップＳ１１３において、固視標光束９２１を移動させる場合について説明する。
図８は、眼底像の表示例を示す図（２）である。
ここでは、第２調整光学系９０が駆動部により駆動されることにより、固視標９２の位置が変わり、固視標光束９２１も図示のように移動する。この際、黄斑部６３が固視マークの移動に従い、移動することが理想である。このため、黄斑部６３の位置確認のために、所定の測定位置（固視標光束９２１が黄斑部６３に含まれた状態）となったか否かを判定する（Ｓ１１５）。なお、この判定は、表示部に７００により検者が判定してもよいし、演算部６００が画像処理技術、パターン認識技術により判定処理を実行してもよい。この後、演算部６００は、上述のように、ステップＳ１１７〜１２５の処理を行う。
上述では、被検者に固視を促せば、固視標が黄斑部位置と一致する場合として説明をしているが、被検眼によっては、固視を促しても固視標が黄斑部位置と一致しない場合もある。そのような場合において、黄斑部に測定光束を照射させて測定を行いたいときには、固視標光束９２１を移動させて測定中心光束１００１が黄斑部とが一致するようにさせることもできる。
【００３２】
（第３の実施の形態）
つぎに、第３の実施の形態の眼特性測定装置３０００のフローチャートについて説明する。その具体的な測定方法を示すフローチャートとしては、第２の実施の形態におけるステップＳ１１３において、固視標光束９２１を移動する代わりに、上述のガルバノミラー２８６、２８７を傾けて、ハルトマン測定中心光束１００１を移動させる。
【００３３】
ステップＳ１１３において、ハルトマン測定中心光束１００１を移動させる場合について説明する。
図９は、眼底像の表示例を示す図（３）である。
ここでは、第１照明光学系２００Ａを第１駆動部９１０により駆動、又は、駆動部により(16)ガルバノミラー２８６、２８７を駆動することにより、ハルトマン測定中心光束１００１の位置が変わり、ハルトマン測定中心光束１００１も図示のように移動する。この際、ハルトマン測定中心光束１００１と、黄斑部６３の位置確認のために、所定の測定位置（固視標光束９２１が黄斑部６３に含まれており、さらに、ハルトマン測定中心光束１００１が固視標光束９２１と一致していない状態）となったか否かを判定する（Ｓ１１５）。この後、演算部６００は、上述のように、ステップＳ１１７〜１２５の処理を行う。
上述では、被検者に固視を促せば、固視標が黄斑部位置と一致する場合として説明をしているが、被検眼によっては、固視を促しても固視標が黄斑部位置と一致しない場合もある。
そのような場合において、黄斑部に測定光束を照射させて測定を行いたいときには、測定中心光束１００１を移動させて黄斑部と一致するようにさせることにも利用できる。
【００３４】
４．ビームスプリッター
図１０に、ビームスプリッターの特性図の一例を示す。
ビームスプリッター２８５の特性は、図示のような特性とすることができる。このバンドパスフィルターとしての特性は、波面光束大部分反射、その一部透過とし（例えば、５％透過、９５％反射）、眼底照明光束及び固視標光束ほとんど透過する特性である。ここでは、一例として、波面光束用の第１光源部１００の波長が８４０ｎｍ、眼底照明光束用の第２光源部１１０の波長が８６０〜８８０ｎｍ、固視標光束用の第３光源部９１の波長が５００ｎｍ、前眼部観察用の光源部５１の波長が９４０ｎｍとしているが、これに限られない。
【００３５】
また、光学系の変形例として、波長の短い順に分離する構成とすれば、ハイパスフィルターのみで構成できる（固視標光束、波面測定光束、眼底観察光束、前眼部照明）。また、波長の長い順に分離する構成とすれば、ローパスフィルターのみで構成できる（前眼部照明、眼底観察光束、波面測定光束、固視標光束）。
【００３６】
５．表示例
図１１は、表示部７００にグラフィック表示される表示例を示す説明図である。
ここでは、測定結果の表示の１回目、２回目、３回目をそれぞれ、表示部７００（例えば、パソコンのディスプレイ等）に表示した状態を示している。表示部７００には、例えば、前眼部像、ハルトマン像、レフ測定による測定結果である（Ｓ、Ｃ、ＡＸ）の値が表示されている。
【００３７】
図中の「ＡＵＴＯ」は、露光時間をオート又はマニュアルで決定するためのモード設定ボタンである。すなわち、このモード設定ボタンを、適宜のユーザが操作することにより、例えば、露光時間の設定がうまくいかない場合や、違った光量、露光時間による測定を行いたい場合等、マニュアル設定を行うことができる。この際、露光時間を直接入力することや、ある程度レベルを決めておいてその中から選択することができるようにしてもよい。
【００３８】
６．光学特性の測定
つぎに、上述のフローチャートのステップＳ１１７、Ｓ１１９における光学特性の測定について詳細に説明する。
図１２に、ハルトマン測定についてのフローチャートを示す。
具体的には、例えば、第１受光部５１０によりスポット像を撮像し（Ｓ６）、さらに、各スポットの重心位置を検出する（Ｓ７）。この重心位置は、例えば、投影される光束が受光面において複数の画素上に投影される様にし、各画素の光束の強度を参考にして重心位置を求めることもできる。この様に重心の計算をすることにより、素子の１／１０以下の測定位置精度を確保することができる。次に、正視の重心位置からのずれ量を算出する（Ｓ８）。さらに、ゼルニケ係数の算出を行う（特開２００１−２０４６９０号等参照）（Ｓ９）。
【００３９】
【発明の効果】
本発明によると、以上説明した通り、被検眼の眼底上のどの位置に測定のための光束が集光しているか又は固視しているかを確認できるようにし、さらに、固視標又はハルトマン測定用照射光の照射位置を動かすことで、その集光位置・測定位置を変更することができるようにして、データの信頼性を一層高くすることができる。
【図面の簡単な説明】
【図１】本発明に関する第１の実施の形態の眼特性測定装置１０００の概略光学系を示す図。
【図２】本発明に関する第２の実施の形態の眼特性測定装置２０００の概略光学系を示す図。
【図３】本発明に関する第３の実施の形態の眼特性測定装置３０００の概略光学系を示す図。
【図４】本発明に関する第１の実施の形態の眼特性測定装置１０００の電気的構成を示す電気系ブロック図。
【図５】本発明に関する第１の実施の形態の眼特性測定装置１０００のフローチャート。
【図６】本発明に関する第２の実施の形態の眼特性測定装置２０００の具体的な測定方法を示すフローチャート。
【図７】眼底像の表示例を示す図（１）。
【図８】眼底像の表示例を示す図（２）。
【図９】眼底像の表示例を示す図（３）。
【図１０】ビームスプリッターの特性図の一例を示す図。
【図１１】表示部７００にグラフィック表示される表示例を示す説明図。
【図１２】ハルトマン測定についてのフローチャート。
【符号の説明】
３０  第３受光光学系
５０  第１調整用光学系
９０  第３照明光学系
１００  第１の光源部
１１０  第２の光源部
２００Ａ  第１照明光学系
３００Ａ  第１受光光学系
２００Ｂ  第２照明光学系
３００Ｂ  第２受光光学系
６００  演算部
６１０  制御部
７００  表示部
８００  メモリ
１０００、２０００、３０００  眼特性測定装置
【図１】
0004102058.tif 000002
【図２】
0004102058.tif 000003
【図３】
0004102058.tif 000004
【図４】
0004102058.tif 000005
【図５】
0004102058.tif 000006
【図６】
0004102058.tif 000007
【図７】
0004102058.tif 000008
【図８】
0004102058.tif 000009
【図９】
0004102058.tif 000010
【図１０】
0004102058.tif 000011
【図１１】
0004102058.tif 000012
【図１２】
0004102058.tif 000013